(57)【要約】【課題】パネルの発光と同期しないタイミングで通信を行っても、精度よくライトペンの位置座標を検出する。【解決手段】１フィールド期間を、画像表示サブフィールドＳＦ１〜ＳＦ８と、走査電極と維持電極とに交互にタイミング検出パルスを印加するタイミング検出サブフィールドＳＦｏと、データ電極にｙ座標検出電圧Ｖｄｙを印加したまま走査電極にｙ座標検出パルスを順次印加するｙ座標検出サブフィールドＳＦｙと、走査電極にｘ座標検出電圧Ｖａを印加したままデータ電極にｘ座標検出パルスを順次印加するｘ座標検出サブフィールドＳＦｘとを含む複数のサブフィールドで構成し、タイミング検出サブフィールドにおいて、最後の書込み放電を発生させた後に最初のタイミング検出放電を発生させるまでの所定の時間Ｔｏ０を、最初のタイミング検出放電を発生させてから２番目のタイミング検出放電を発生させるまでの時間間隔Ｔｏ１よりも長く設定した。【選択図】図９
2015038533.tif 000002
【特許請求の範囲】
【請求項１】
第１の方向に延びた複数の走査電極および維持電極と、前記第１の方向に交差する第２の方向に延びた複数のデータ電極と、を有するプラズマディスプレイパネルの駆動方法であって、
１フィールド期間を、画像を表示するための画像表示サブフィールドと、前記走査電極と前記維持電極とに交互にタイミング検出放電を発生させるタイミング検出パルスを印加するタイミング検出サブフィールドと、前記データ電極にｙ座標検出電圧を印加したまま前記走査電極にｙ座標検出パルスを順次印加するｙ座標検出サブフィールドと、前記走査電極にｘ座標検出電圧を印加したまま前記データ電極にｘ座標検出パルスを順次印加するｘ座標検出サブフィールドと、を含む複数のサブフィールドで構成し、
前記タイミング検出サブフィールドにおいて、最後の書込み放電を発生させた後に最初のタイミング検出放電を発生させるまでの所定の時間を、最初のタイミング検出放電を発生させてから２番目のタイミング検出放電を発生させるまでの時間間隔よりも長く設定して駆動することを特徴とするプラズマディスプレイパネルの駆動方法。
【請求項２】
前記タイミング検出サブフィールドにおいて、あらかじめ定められた時間間隔で複数回のタイミング検出放電を発生させることを特徴とする請求項１に記載のプラズマディスプレイパネルの駆動方法。
【請求項３】
前記タイミング検出サブフィールドに続いて前記ｙ座標検出サブフィールドを配置し、前記ｙ座標検出サブフィールドに続いて前記ｘ座標検出サブフィールドを配置することを特徴とする請求項１に記載のプラズマディスプレイパネルの駆動方法。
【請求項４】
前記タイミング検出サブフィールドにおいて、最後の書込み放電を発生させた後に最初のタイミング検出放電を発生させるまでの所定の時間を、連続する複数のタイミング検出放電のそれぞれの時間間隔の最大よりも長く設定することを特徴とする請求項１に記載のプラズマディスプレイパネルの駆動方法。
【請求項５】
第１の方向に延びた複数の走査電極および維持電極と前記第１の方向に交差する第２の方向に延びた複数のデータ電極とを有するプラズマディスプレイパネルと、１フィールド期間を複数のサブフィールドで構成して前記プラズマディスプレイパネルを駆動する駆動回路とを備えたプラズマディスプレイ装置であって、
前記駆動回路は、
前記１フィールド期間を、画像を表示するための画像表示サブフィールドと、前記走査電極と前記維持電極とに交互にタイミング検出放電を発生させるタイミング検出パルスを印加するタイミング検出サブフィールドと、前記データ電極にｙ座標検出電圧を印加したまま前記走査電極にｙ座標検出パルスを順次印加するｙ座標検出サブフィールドと、前記走査電極にｘ座標検出電圧を印加したまま前記データ電極にｘ座標検出パルスを順次印加するｘ座標検出サブフィールドと、を含む複数のサブフィールドで構成し、
前記タイミング検出サブフィールドにおいて、最後の書込み放電を発生させた後に最初のタイミング検出放電を発生させるまでの所定の時間を、最初のタイミング検出放電を発生させてから２番目のタイミング検出放電を発生させるまでの時間間隔よりも長く設定して駆動する構成とすることを特徴とするプラズマディスプレイ装置。
【請求項６】
請求項５に記載のプラズマディスプレイ装置と、前記プラズマディスプレイパネルの発光を受光して受光信号を出力するライトペンとを備え、
前記ライトペンは、前記プラズマディスプレイパネルの発光を受光して受光信号を出力する受光素子と、前記ｙ座標検出サブフィールドおよび前記ｘ座標検出サブフィールドと同期した座標基準信号を前記受光信号にもとづき作成するタイミング検出回路と、前記ライトペンが指示す前記プラズマディスプレイ装置の表示画面上の座標を前記座標基準信号と前記受光信号にもとづき算出する座標算出回路と、前記座標算出回路が算出した座標を前記プラズマディスプレイ装置に送信する送信回路とを有し、
前記プラズマディスプレイ装置は、前記ライトペンから送信された座標を受信する受信回路と、前記受信回路で受信した座標にもとづき描画信号を作成する描画回路とを有することを特徴とするプラズマディスプレイシステム。
【発明の詳細な説明】
【技術分野】
【０００１】
本発明は、プラズマディスプレイパネルの駆動方法、プラズマディスプレイ装置、およびライトペンを用いて手書き入力が可能なプラズマディスプレイシステムに関する。
【背景技術】
【０００２】
プラズマディスプレイパネル（以下、「パネル」と略記する）として代表的な交流面放電型パネルは、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。
【０００３】
パネルを駆動する方法としては、１フィールド期間を複数のサブフィールドで構成し、発光させるサブフィールドの組み合わせによって階調表示を行うサブフィールド法が一般的である。各サブフィールドは、初期化期間、書込み期間および維持期間を有する。初期化期間では初期化放電を発生し、続く書込み動作に必要な壁電荷を形成する初期化動作を行う。書込み期間では、表示する画像に応じて放電セルで選択的に書込み放電を発生し壁電荷を形成する。そして維持期間では、走査電極と維持電極とに交互に維持パルスを印加して維持放電を発生させ、対応する放電セルの蛍光体層を発光させることにより画像表示を行う。
【０００４】
近年は、このようなパネルを用いて、黒板やホワイトボードのように、表示画面上から、文字や絵などを入力できる電子黒板としての応用も検討されている。例えば特許文献１には、１フィールド期間を複数のサブフィールドに分割し、各サブフィールドにおける発光時間を異なる値に設定して階調表示を可能にするとともに、横座標検出用サブフィールドを設け、このサブフィールド期間内に横座標検出用パターンを表示させ、この横座標検出サブフィールドの発光をライトペンにて検出し、その発光タイミングからライトペンの示している横座標を求めるプラズマディスプレイ装置が記載されている。
【０００５】
また特許文献２には、位置座標検出時にのみ１フィールド中に位置座標検出期間を設けて、この期間内に走査ドライバおよびデータドライバに表示位置検出用の駆動信号を出力して、プラズマディスプレイパネル上に位置座標検出用の光信号を発生させ、ライトペンの光信号を検出するタイミングにより位置座標を検出する方法が記載されている。
【先行技術文献】
【特許文献】
【０００６】
【特許文献１】特開昭５０−１０８８３８号公報
【特許文献２】特開２００１−３１８７６５号公報
【発明の概要】
【発明が解決しようとする課題】
【０００７】
プラズマディスプレイ装置を電子黒板として応用する場合、ライトペンとのデータ通信を無線通信とすることでライトペンの使いやすさが格段に向上する。しかしマイコン等を用いて無線通信制御を行うと、パネルの発光と同期しないタイミングで通信を行うため、ライトペンが光信号を検出するタイミングを正確に伝えることができないという課題があった。
【０００８】
本発明は上記の課題に鑑みなされたものであり、パネルの発光と同期しないタイミングで通信を行っても、精度よくライトペンの位置座標を検出することができるプラズマディスプレイパネルの駆動方法、プラズマディスプレイ装置、およびライトペンを用いて描画可能なプラズマディスプレイシステムを提供することを目的とする。
【課題を解決するための手段】
【０００９】
上記目的を達成するために本発明は、第１の方向に延びた複数の走査電極および維持電極と、第１の方向に交差する第２の方向に延びた複数のデータ電極と、を有するプラズマディスプレイパネルの駆動方法であって、１フィールド期間を、画像を表示するための画像表示サブフィールドと、走査電極と維持電極とに交互にタイミング検出放電を発生させるタイミング検出パルスを印加するタイミング検出サブフィールドと、データ電極にｙ座標検出電圧を印加したまま走査電極にｙ座標検出パルスを順次印加するｙ座標検出サブフィールドと、走査電極にｘ座標検出電圧を印加したままデータ電極にｘ座標検出パルスを順次印加するｘ座標検出サブフィールドと、を含む複数のサブフィールドで構成し、タイミング検出サブフィールドにおいて、最後の書込み放電を発生させた後に最初のタイミング検出放電を発生させるまでの所定の時間を、最初のタイミング検出放電を発生させてから２番目のタイミング検出放電を発生させるまでの時間間隔よりも長く設定して駆動することを特徴とする。この方法により、パネルの発光と同期しないタイミングで通信を行っても、精度よくライトペンの位置座標を検出することができるプラズマディスプレイパネルの駆動方法を提供することができる。
【００１０】
また本発明のプラズマディスプレイパネルの駆動方法は、タイミング検出サブフィールドにおいて、あらかじめ定められた時間間隔で複数回のタイミング検出放電を発生させることが望ましい。
【００１１】
また本発明のプラズマディスプレイパネルの駆動方法は、タイミング検出サブフィールドに続いてｙ座標検出サブフィールドを配置し、ｙ座標検出サブフィールドに続いてｘ座標検出サブフィールドを配置することが望ましい。
【００１２】
また本発明のプラズマディスプレイパネルの駆動方法は、タイミング検出サブフィールドにおいて、最後の書込み放電を発生させた後に最初のタイミング検出放電を発生させるまでの所定の時間を、連続する複数のタイミング検出放電のそれぞれの時間間隔の最大よりも長く設定することが望ましい。
【００１３】
また本発明は、第１の方向に延びた複数の走査電極および維持電極と第１の方向に交差する第２の方向に延びた複数のデータ電極とを有するプラズマディスプレイパネルと、１フィールド期間を複数のサブフィールドで構成してプラズマディスプレイパネルを駆動する駆動回路とを備えたプラズマディスプレイ装置であって、駆動回路は、１フィールド期間を、画像を表示するための画像表示サブフィールドと、走査電極と維持電極とに交互にタイミング検出放電を発生させるタイミング検出パルスを印加するタイミング検出サブフィールドと、データ電極にｙ座標検出電圧を印加したまま走査電極にｙ座標検出パルスを順次印加するｙ座標検出サブフィールドと、走査電極にｘ座標検出電圧を印加したままデータ電極にｘ座標検出パルスを順次印加するｘ座標検出サブフィールドと、を含む複数のサブフィールドで構成し、タイミング検出サブフィールドにおいて、最後の書込み放電を発生させた後に最初のタイミング検出放電を発生させるまでの所定の時間を、最初のタイミング検出放電を発生させてから２番目のタイミング検出放電を発生させるまでの時間間隔よりも長く設定して駆動する構成とすることを特徴とする。この構成により、パネルの発光と同期しないタイミングで通信を行っても、精度よくライトペンの位置座標を検出することができるプラズマディスプレイ装置を提供することができる。
【００１４】
また本発明のプラズマディスプレイシステムは、上記に記載のプラズマディスプレイ装置と、プラズマディスプレイパネルの発光を受光して受光信号を出力するライトペンとを備え、ライトペンは、プラズマディスプレイパネルの発光を受光して受光信号を出力する受光素子と、ｙ座標検出サブフィールドおよびｘ座標検出サブフィールドと同期した座標基準信号を受光信号にもとづき作成するタイミング検出回路と、ライトペンが指示すプラズマディスプレイ装置の表示画面上の座標を座標基準信号と受光信号にもとづき算出する座標算出回路と、座標算出回路が算出した座標をプラズマディスプレイ装置に送信する送信回路とを有し、プラズマディスプレイ装置は、ライトペンから送信された座標を受信する受信回路と、受信回路で受信した座標にもとづき描画信号を作成する描画回路とを有することを特徴とする。この構成により、パネルの発光と同期しないタイミングで通信を行っても、精度よくライトペンの位置座標を検出することができ、ライトペンを用いて描画可能なプラズマディスプレイシステムを提供することができる。
【発明の効果】
【００１５】
本発明によれば、パネルの発光と同期しないタイミングで通信を行っても、精度よくライトペンの位置座標を検出することができるプラズマディスプレイパネルの駆動方法、プラズマディスプレイ装置、およびプラズマディスプレイシステムを提供することが可能となる。
【図面の簡単な説明】
【００１６】
【図１】本発明の実施の形態１におけるプラズマディスプレイ装置のパネルの分解斜視図である。
【図２】同プラズマディスプレイ装置のパネルの電極配列図である。
【図３】同プラズマディスプレイ装置の駆動電圧波形図である。
【図４】同プラズマディスプレイ装置の駆動電圧波形図である。
【図５】同プラズマディスプレイシステムの回路ブロック図である。
【図６】同プラズマディスプレイシステムの位置座標検出方法を説明する模式図である。
【図７】同プラズマディスプレイシステムのタイミングチャートである。
【図８】同プラズマディスプレイシステムの描画の一例を示す模式図である。
【図９】本発明の実施の形態２におけるプラズマディスプレイシステムのタイミングチャートである。
【図１０】同プラズマディスプレイシステムの回路ブロック図である。
【発明を実施するための形態】
【００１７】
以下、本発明の実施の形態におけるプラズマディスプレイシステムについて、まずライトペンの位置座標を検出する方法およびその構成を中心に、図面を用いて説明する。
【００１８】
（実施の形態１）
図１は、本発明の実施の形態１におけるプラズマディスプレイ装置のパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１９】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態１におけるプラズマディスプレイ装置のパネル１０の電極配列図である。パネル１０には、第１の方向に延びたｎ本の走査電極ＳＣ１〜ＳＣｎ（図１の走査電極１２）およびｎ本の維持電極ＳＵ１〜ＳＵｎ（図１の維持電極１３）が配列され、第１の方向に交差する第２の方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。ここで隣接する３本のデータ電極と１対の表示電極対との交差する部分に形成される３個の放電セルは、赤のピクセル、緑のピクセル、青のピクセルである。そして赤のピクセル、緑のピクセル、青のピクセルが一組で１つの画素を構成する。したがって、例えばパネル１０が１０８０×１９２０の画素をもつ高精細度パネルであれば、ｎ＝１０８０、ｍ＝１９２０×３＝５７６０である。以下、便宜上、第１の方向を行方向、第２の方向を列方向とそれぞれ呼称する。
【００２２】
次に、プラズマディスプレイ装置の駆動電圧波形について詳細に説明する。本実施の形態においては、１フィールド期間を、画像を表示するための複数の画像表示サブフィールドと、ｙ座標検出サブフィールドと、ｘ座標検出サブフィールドとで構成する。
【００２３】
画像を表示するための画像表示サブフィールドは、初期化期間と書込み期間と維持期間とを有する８個のサブフィールドＳＦ１〜ＳＦ８であり、サブフィールドＳＦ１〜ＳＦ８それぞれの輝度重みは、例えば（１、２、３、５、８、１３、２１、３４）である。そして最初に配置されたサブフィールドＳＦ１の初期化期間では、それ以前の放電の履歴にかかわらず強制的に初期化放電を発生させる強制初期化動作を行い、それ以降に配置されたサブフィールドＳＦ２〜ＳＦ８の初期化期間では、直前のサブフィールドで放電を発生させた放電セルのみで初期化放電を発生させる選択初期化動作を行う。
【００２４】
ｙ座標検出サブフィールドＳＦｙはライトペンが指示す表示画面上のｙ座標を検出するためのサブフィールドであり、初期化期間とｙ座標検出期間とを有する。ｘ座標検出サブフィールドＳＦｘはライトペンが指示す表示画面上のｘ座標を検出するためのサブフィールドであり、初期化期間とｘ座標検出期間とを有する。
【００２５】
このように本実施の形態においては、１フィールド期間に、画像を表示するための８個のサブフィールドＳＦ１〜ＳＦ８と、ｙ座標検出サブフィールドＳＦｙと、ｘ座標検出サブフィールドＳＦｘとが、この順序で配置されているとして説明する。しかし本発明は、上述したサブフィールド数、輝度重み等のサブフィールド構成に限定されるものではない。
【００２６】
例えば、画像を表示するための８個のサブフィールドＳＦ１〜ＳＦ８の前に、ｙ座標検出サブフィールドＳＦｙとｘ座標検出サブフィールドＳＦｘとを配置するように駆動するものであってもい。また、ｙ座標検出サブフィールドＳＦｙとｘ座標検出サブフィールドＳＦｘとはすべてのフィールドに設ける必要はなく、表示する映像信号やプラズマディスプレイ装置の使用状態によっては数フィールドに１回の割合で設けるものであってもよい。
【００２７】
まず画像表示サブフィールドの詳細について説明する。図３は、本発明の実施の形態１におけるプラズマディスプレイ装置の駆動電圧波形図であり、画像表示サブフィールドのうちのサブフィールドＳＦ１〜ＳＦ３においてパネル１０の各電極に印加する駆動電圧波形を示している。
【００２８】
サブフィールドＳＦ１の初期化期間Ｐｉの前半部では、データ電極Ｄ１〜Ｄｍに電圧０（Ｖ）を印加し、維持電極ＳＵ１〜ＳＵｎに電圧０（Ｖ）を印加する。そして走査電極ＳＣ１〜ＳＣｎには正極性の電圧Ｖｉ２まで上昇する上り傾斜電圧を印加する。この傾斜電圧が上昇する間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負極性の壁電圧が蓄積されるとともに、データ電極Ｄ１〜Ｄｍ上および維持電極ＳＵ１〜ＳＵｎ上には正極性の壁電圧が蓄積される。ここで、電極上の壁電圧とは電極を覆う誘電体層上、保護層上、蛍光体層上等に蓄積された壁電荷により生じる電圧を表す。なお図３では、走査電極ＳＣ１〜ＳＣｎに傾斜電圧が２回に分けて印加されているが、これは駆動回路の構成に起因している。また２回目の上り傾斜電圧印加時にデータ電極Ｄ１〜Ｄｍに正極性の電圧Ｖｄを印加しているが、これは、走査電極ＳＣ１〜ＳＣｎと維持電極ＳＵ１〜ＳＵｎとの間の放電を、走査電極ＳＣ１〜ＳＣｎとデータ電極Ｄ１〜Ｄｍとの間の放電よりも先に発生させて、初期化放電を安定させるためである。
【００２９】
初期化期間Ｐｉの後半部では、データ電極Ｄ１〜Ｄｍに第２の電圧である電圧０（Ｖ）を印加し、維持電極ＳＵ１〜ＳＵｎに第４の電圧である正極性の電圧Ｖｅを印加する。そして走査電極ＳＣ１〜ＳＣｎには負極性の電圧Ｖｉ４まで下降する第２の下り傾斜電圧（以下、単に「下り傾斜電圧」とも称する）を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上の負極性の壁電圧および維持電極ＳＵ１〜ＳＵｎ上の正極性の壁電圧が弱められ、データ電極Ｄ１〜Ｄｍ上の正極性の壁電圧は書込み動作に適した値に調整される。以上により、強制的に初期化放電を行う強制初期化動作が終了する。
【００３０】
続く書込み期間Ｐｗでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。本実施の形態において、この間の時間Ｔｗ０はおよそ５０μｓである。
【００３１】
次に、１行目の走査電極ＳＣ１に負極性の電圧Ｖａの走査パルスを印加する。そして、データ電極Ｄ１〜Ｄｍのうち１行目に発光させるべき放電セルのデータ電極Ｄｋ（ｋ＝１〜ｍ）に電圧Ｖｄの書込みパルスを印加する。本実施の形態において走査パルスおよび書込みパルスを印加する時間Ｔｗ１は１μｓである。すると書込みパルスを印加した放電セルのデータ電極Ｄｋ上と走査電極ＳＣ１上との交差部の電圧差は放電開始電圧を超え、データ電極Ｄｋと走査電極ＳＣ１との間および維持電極ＳＵ１と走査電極ＳＣ１との間に書込み放電が起こる。そして走査電極ＳＣ１上に正極性の壁電圧が蓄積され、維持電極ＳＵ１上に負極性の壁電圧が蓄積され、データ電極Ｄｋ上にも負極性の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００３２】
次に、２行目の走査電極ＳＣ２に電圧Ｖａの走査パルスを印加する。そして、データ電極Ｄ１〜Ｄｍのうち２行目に発光させるべき放電セルのデータ電極Ｄｋに電圧Ｖｄの書込みパルスを印加する。すると書込みパルスを印加した放電セルのデータ電極Ｄｋと走査電極ＳＣ２との間および維持電極ＳＵ２と走査電極ＳＣ２との間に書込み放電が起こる。一方、書込みパルスを印加しなかったデータ電極と走査電極ＳＣ２との交差部の電圧は放電開始電圧を超えないので、書込み放電は発生しない。
【００３３】
以下同様に、走査電極ＳＣ３〜ＳＣｎに走査パルスを順次印加するとともに発光させるべき放電セルのデータ電極Ｄｋに書込みパルスを印加して、３〜ｎ行目に発光させるべき放電セルで書込み放電を発生させる。以上により書込み動作が終了する。
【００３４】
続く維持期間Ｐｓでは、データ電極Ｄ１〜Ｄｍに電圧０（Ｖ）を印加する。そして走査電極ＳＣ１〜ＳＣｎに電圧Ｖｓの維持パルスを印加するとともに維持電極ＳＵ１〜ＳＵｎに電圧０（Ｖ）を印加する。すると書込み放電を起こした放電セルでは、走査電極ＳＣｉと維持電極ＳＵｉとの間に維持放電が起こり、このとき発生した紫外線により蛍光体層２５が発光する。そして走査電極ＳＣｉ上に負極性の壁電圧が蓄積され、維持電極ＳＵｉ上に正極性の壁電圧が蓄積される。さらにデータ電極Ｄｋ上にも正極性の壁電圧が蓄積される。書込み期間Ｐｗにおいて書込み放電が起きなかった放電セルでは維持放電は発生せず、初期化期間Ｐｉの終了時における壁電圧が保たれる。
【００３５】
続いて、走査電極ＳＣ１〜ＳＣｎには電圧０（Ｖ）を印加するとともに維持電極ＳＵ１〜ＳＵｎには電圧Ｖｓの維持パルスを印加する。すると維持放電を起こした放電セルでは再び維持放電が起こり、維持電極ＳＵｉ上に負極性の壁電圧が蓄積され走査電極ＳＣｉ上に正極性の壁電圧が蓄積される。以下同様に輝度重みに応じた数の維持パルスを走査電極ＳＣ１〜ＳＣｎと維持電極ＳＵ１〜ＳＵｎとに交互に印加し、書込み期間Ｐｗにおいて書込み放電を起こした放電セルで維持放電を継続して発生させる。
【００３６】
そして維持期間Ｐｓの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｒまで上昇する上り傾斜電圧を印加する。するとこの間に、維持放電を発生した走査電極ＳＣｉと維持電極ＳＵｉとの間で微弱な消去放電が起こり、データ電極Ｄｋ上の正極性の壁電圧を残したまま、走査電極ＳＣｉ上および維持電極ＳＵｉ上の壁電圧を弱める。以上により維持動作が終了する。
【００３７】
サブフィールドＳＦ２の初期化期間Ｐｉでは、データ電極Ｄ１〜Ｄｍに第２の電圧である電圧０（Ｖ）を印加し、維持電極ＳＵ１〜ＳＵｎに第４の電圧である電圧Ｖｅを印加し、走査電極ＳＣ１〜ＳＣｎには電圧Ｖｉ４まで下降する第２の下り傾斜電圧を印加する。すると直前のサブフィールドＳＦ１で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正極性の壁電圧が蓄積されているので、この壁電圧の過剰な部分が放電され、書込み動作に適した壁電圧に調整される。一方、直前のサブフィールドＳＦ１で維持放電を起こさなかった放電セルについては放電することはなく、直前のサブフィールドＳＦ１の初期化期間Ｐｉ終了時における壁電圧が保たれる。このようにサブフィールドＳＦ２の初期化期間Ｐｉでは、直前のサブフィールドの書込み期間Ｐｗで書込み動作を行った放電セル、したがって維持期間Ｐｓで維持動作を行った放電セルに対して選択的に初期化放電を発生させる選択初期化動作を行う。
【００３８】
サブフィールドＳＦ２の書込み期間Ｐｗの動作はサブフィールドＳＦ１の書込み期間Ｐｗの動作と同様であるため説明を省略する。続く維持期間Ｐｓの動作も、維持パルスの数を除いてサブフィールドＳＦ１の維持期間Ｐｓの動作と同様である。サブフィールドＳＦ３〜ＳＦ８の動作も、維持パルスの数を除いてサブフィールドＳＦ２の動作と同様である。
【００３９】
次に、ｙ座標検出サブフィールドＳＦｙおよびｘ座標検出サブフィールドＳＦｘの詳細について説明する。図４は、本発明の実施の形態１におけるプラズマディスプレイ装置の駆動電圧波形図であり、ｙ座標検出サブフィールドＳＦｙ、ｘ座標検出サブフィールドＳＦｘにおいてパネル１０の各電極に印加する駆動電圧波形を示している。またｙ座標検出サブフィールドＳＦｙの直前に配置されたサブフィールドＳＦ８の維持期間Ｐｓの一部も示している。
【００４０】
ｙ座標検出サブフィールドＳＦｙの初期化期間Ｐｉでは、サブフィールドＳＦ２の初期化期間Ｐｉと同様に、選択初期化動作を行う。すなわち、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎには電圧Ｖｉ４まで下降する下り傾斜電圧を印加する。すると直前のサブフィールドＳＦ８で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正極性の壁電圧が蓄積されているので、この壁電圧の過剰な部分が放電され、続くｙ座標検出動作に適した壁電圧に調整される。一方、直前のサブフィールドＳＦ８で維持放電を起こさなかった放電セルについては放電することはなく、直前のサブフィールドＳＦ８の初期化期間Ｐｉ終了時における壁電圧が保たれる。以上により、ｙ座標検出サブフィールドＳＦｙの初期化期間Ｐｉの選択初期化動作が終了する。
【００４１】
ｙ座標検出サブフィールドＳＦｙのｙ座標検出期間Ｐｙでは、データ電極Ｄ１〜Ｄｍにｙ座標検出電圧Ｖｄｙよりも低い電圧０（Ｖ）を印加し、維持電極ＳＵ１〜ＳＵｎに電圧Ｖｅを印加し、走査電極ＳＣ１〜ＳＣｎのそれぞれにはｙ座標検出パルスの電圧Ｖａｙよりも高い電圧Ｖｃを印加する。そして時間Ｔｗ０よりも長い第１の時間Ｔｙ０の間、この状態を保つ。本実施の形態において第１の時間Ｔｙ０はおよそ７００μｓである。
【００４２】
次に、データ電極Ｄ１〜Ｄｍにｙ座標検出電圧Ｖｄｙを印加する。そして、１行目の走査電極ＳＣ１に電圧Ｖａｙのｙ座標検出パルスを印加する。すると１行目の放電セルのデータ電極Ｄ１〜Ｄｍ上と走査電極ＳＣ１上との交差部の電圧差は放電開始電圧を超え、データ電極Ｄ１〜Ｄｍと走査電極ＳＣ１との間および維持電極ＳＵ１と走査電極ＳＣ１との間にｙ座標検出のための放電が起こる。そして走査電極ＳＣ１上に正極性の壁電圧が蓄積され、維持電極ＳＵ１上に負極性の壁電圧が蓄積され、データ電極Ｄ１〜Ｄｍ上にも負極性の壁電圧が蓄積される。このようにして、１行目の放電セルで同時にｙ座標検出のための放電を起こして、１行目の画素行、すなわち１行目の放電セルで構成される１行目の放電セル行が発光する。
【００４３】
次に、データ電極Ｄ１〜Ｄｍにｙ座標検出電圧Ｖｄｙを印加したまま、２行目の走査電極ＳＣ２に電圧Ｖａｙのｙ座標検出パルスを印加する。するとデータ電極Ｄ１〜Ｄｍと走査電極ＳＣ２との間および維持電極ＳＵ２と走査電極ＳＣ２との間にｙ座標検出のための放電が起こり、２行目の画素行、すなわち２行目の放電セル行が発光する。以下同様に、データ電極Ｄ１〜Ｄｍにｙ座標検出電圧Ｖｄｙを印加したまま走査電極ＳＣ３〜ＳＣｎにｙ座標検出パルスを順次印加して、３〜ｎ行目の放電セル行を順次発光させる。
【００４４】
このように、ｙ座標検出サブフィールドＳＦｙにおいて、第１の時間Ｔｙ０の間、ｙ座標検出パルスの電圧Ｖａｙよりも高い電圧Ｖｃを走査電極ＳＣ１〜ＳＣｎに印加するとともにｙ座標検出電圧Ｖｄｙよりも低い電圧０（Ｖ）をデータ電極Ｄ１〜Ｄｍに印加した後に、データ電極Ｄ１〜Ｄｍにｙ座標検出電圧Ｖｄｙを印加したまま走査電極ＳＣ１〜ＳＣｎにｙ座標検出パルスを順次印加する。こうしてｙ座標検出期間Ｐｙでは、表示画面の上端部から下端部まで走査する１本の横線が表示される。そのため後述するように、ライトペンで放電セル行の発光を受光し、発光のタイミングを知ることでライトペンが示している表示画面の位置のｙ座標を検出することができる。ただし、横線の走査する速度は非常に速いので、視覚的には表示画面全体が僅かに明るくなったようにしか見えない。
【００４５】
なお本実施の形態においてｙ座標検出パルスを印加する時間Ｔｙ１は１μｓである。したがって、例えばｎ＝１０８０であれば、ｙ座標検出期間Ｐｙの時間は、Ｔｙ０＋Ｔｙ１×１０８０＝１７８０μｓである。以上によりｙ座標検出期間Ｐｙが終了する。
【００４６】
ｘ座標検出サブフィールドＳＦｘの初期化期間Ｐｉでは強制初期化動作を行う。しかしながらサブフィールドＳＦ１の初期化期間Ｐｉとは異なる駆動電圧波形を各電極に印加する。
【００４７】
ｘ座標検出サブフィールドＳＦｘの初期化期間Ｐｉの前半部では、サブフィールドＳＦ１の初期化期間Ｐｉの前半部と同様に、データ電極Ｄ１〜Ｄｍに電圧０（Ｖ）を印加し、維持電極ＳＵ１〜ＳＵｎに電圧０（Ｖ）を印加する。そして走査電極ＳＣ１〜ＳＣｎには電圧Ｖｉ２まで上昇する上り傾斜電圧を印加する。なお図４でも、走査電極ＳＣ１〜ＳＣｎには２回に分けて傾斜電圧が印加されているが、これも駆動回路の構成に起因している。
【００４８】
この傾斜電圧が上昇する間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負極性の壁電圧が蓄積されるとともに、データ電極Ｄ１〜Ｄｍ上および維持電極ＳＵ１〜ＳＵｎ上には正極性の壁電圧が蓄積される。
【００４９】
初期化期間Ｐｉの後半部では、サブフィールドＳＦ１の初期化期間Ｐｉの後半部とは異なり、データ電極Ｄ１〜Ｄｍに第１の電圧である電圧Ｖｄを印加し、維持電極ＳＵ１〜ＳＵｎに電圧Ｖｅよりも高い第３の電圧である電圧Ｖｓを印加する。そして走査電極ＳＣ１〜ＳＣｎには、電圧Ｖｉ４よりも高い電圧、本実施の形態においては絶対値が電圧Ｖｉ４よりも小さい負極性の電圧Ｖｉ６まで下降する第１の下り傾斜電圧（以下、単に「下り傾斜電圧」とも称する）を印加する。するとこの間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上の負極性の壁電圧および維持電極ＳＵ１〜ＳＵｎ上の正極性の壁電圧が弱められる。
【００５０】
またデータ電極Ｄｋに関しては、直前の維持放電によってデータ電極Ｄｋ上に蓄積されている正極性の壁電圧の一部が放電される。しかし、このときデータ電極Ｄ１〜Ｄｍ上に残留する正極性の壁電圧は、サブフィールドＳＦ１〜ＳＦ８の初期化期間Ｐｉにおいてデータ電極Ｄ１〜Ｄｍ上に残留する正極性の壁電圧よりも少ない値に調整される。
【００５１】
このように、ｘ座標検出サブフィールドＳＦｘの初期化期間Ｐｉの後半部において走査電極ＳＣ１〜ＳＣｎに印加する第１の下り傾斜電圧の到達電圧Ｖｉ６は、画像表示サブフィールドＳＦ１〜ＳＦ８の初期化期間Ｐｉにおいて走査電極ＳＣ１〜ＳＣｎに印加する第２の下り傾斜電圧の到達電圧Ｖｉ４よりも高い電圧である。また、ｘ座標検出サブフィールドＳＦｘの初期化期間Ｐｉの後半部においてデータ電極Ｄ１〜Ｄｍに印加する第１の電圧Ｖｄは、画像表示サブフィールドＳＦ１〜ＳＦ８の初期化期間Ｐｉにおいてデータ電極Ｄ１〜Ｄｍに印加する第２の電圧０（Ｖ）よりも高い電圧である。そしてこれらの電圧は、ｘ座標検出サブフィールドＳＦｘの初期化期間Ｐｉの後半部においてデータ電極Ｄ１〜Ｄｍに印加する第１の電圧Ｖｄから走査電極ＳＣ１〜ＳＣｎに印加する第１の下り傾斜電圧の到達電圧Ｖｉ６を減じた電圧が、画像表示サブフィールドＳＦ１〜ＳＦ８の初期化期間Ｐｉにおいてデータ電極Ｄ１〜Ｄｍに印加する第２の電圧０（Ｖ）から走査電極ＳＣ１〜ＳＣｎに印加する第２の下り傾斜電圧の到達電圧Ｖｉ４を減じた電圧よりも高い電圧となるように設定されている。さらにｘ座標検出サブフィールドＳＦｘの初期化期間Ｐｉの後半部において維持電極ＳＵ１〜ＳＵｎに印加する第３の電圧Ｖｓは、画像表示サブフィールドＳＦ１〜ＳＦ８の初期化期間Ｐｉにおいて維持電極ＳＵ１〜ＳＵｎに印加する第４の電圧Ｖｅよりも高い電圧に設定されている。
【００５２】
これによりデータ電極Ｄ１〜Ｄｍ上に残留する正極性の壁電圧を、画像表示サブフィールドＳＦ１〜ＳＦ８の初期化期間Ｐｉにおいてデータ電極Ｄ１〜Ｄｍ上に残留する正極性の壁電圧よりも少ない値に調整することができる。以上によりｘ座標検出サブフィールドＳＦｘの初期化期間Ｐｉの強制初期化動作が終了する。
【００５３】
ｘ座標検出サブフィールドＳＦｘのｘ座標検出期間Ｐｘでは、データ電極Ｄ１〜Ｄｍにｘ座標検出パルスの電圧Ｖｄｘよりも低い電圧０（Ｖ）を印加し、維持電極ＳＵ１〜ＳＵｎに電圧Ｖｅを印加し、走査電極ＳＣ１〜ＳＣｎのそれぞれにはｘ座標検出電圧Ｖａｘよりも高い電圧Ｖｃを印加する。そして時間Ｔｗ０よりも長い第２の時間Ｔｘ０の間、この状態を保つ。第２の時間Ｔｘ０は、２００μｓ以上、１ｍｓ以下の時間に設定することが望ましく、本実施の形態において第２の時間Ｔｘ０はおよそ７００μｓである。
【００５４】
次に、走査電極ＳＣ１〜ＳＣｎに負極性のｘ座標検出電圧Ｖａｘを印加する。そして１つの画素、すなわち赤のピクセル、緑のピクセル、青のピクセルに対応する１〜３列目のデータ電極Ｄ１〜Ｄ３に電圧Ｖｄｘのｘ座標検出パルスを印加する。すると１〜３列目の放電セルのデータ電極Ｄ１〜Ｄ３上と走査電極ＳＣ１〜ＳＣｎ上との交差部の電圧差は放電開始電圧を超え、データ電極Ｄ１〜Ｄ３と走査電極ＳＣ１〜ＳＣｎとの間および維持電極ＳＵ１〜ＳＵｎと走査電極ＳＣ１〜ＳＣｎとの間にｘ座標検出のための放電が起こる。そして、走査電極ＳＣ１〜ＳＣｎ上に正極性の壁電圧が蓄積され、維持電極ＳＵ１〜ＳＵｎ上に負極性の壁電圧が蓄積され、データ電極Ｄ１〜Ｄ３上にも負極性の壁電圧が蓄積される。このようにして、１〜３列目の放電セルで同時にｘ座標検出のための放電を起こして、１列目の画素列、すなわち１列目の放電セルで構成される１列目の放電セル列、２列目の放電セルで構成される２列目の放電セル列、３列目の放電セルで構成される３列目の放電セル列が発光する。
【００５５】
次に、走査電極ＳＣ１〜ＳＣｎにｘ座標検出電圧Ｖａｘを印加したまま、４〜６列目のデータ電極Ｄ４〜Ｄ６に電圧Ｖｄｘのｘ座標検出パルスを印加する。するとデータ電極Ｄ４〜Ｄ６と走査電極ＳＣ１〜ＳＣｎとの間および維持電極ＳＵ１〜ＳＵｎと走査電極ＳＣ１〜ＳＣｎとの間にｘ座標検出のための放電が起こり、２列目の画素列、すなわち４〜６列目の放電セル列が発光する。
【００５６】
以下同様に、データ電極３本ずつ、データ電極Ｄｍに至るまでｘ座標検出パルスを順次印加して、放電セル列３列ずつ、ｍ列目の放電セル列に至るまで順次発光させる。
【００５７】
このように、ｘ座標検出サブフィールドＳＦｘにおいて、第２の時間Ｔｘ０の間、ｘ座標検出電圧Ｖａｘよりも高い電圧Ｖｃを走査電極ＳＣ１〜ＳＣｎに印加するとともにｘ座標検出パルスの電圧Ｖｄｘよりも低い電圧０（Ｖ）をデータ電極Ｄ１〜Ｄｍに印加した後に、走査電極ＳＣ１〜ＳＣｎにｘ座標検出電圧Ｖａｘを印加したままデータ電極Ｄ１〜Ｄｍに電圧Ｖｄｘのｘ座標検出パルスを順次印加する。
【００５８】
こうしてｘ座標検出期間Ｐｘでは、表示画面の左端部から右端部まで走査する１本の縦線が表示される。そのため後述するように、ライトペンで放電セル列の発光を受光し、発光のタイミングを知ることでライトペンが示している表示画面の位置のｘ座標を検出することができる。ただし、縦線の走査する速度は非常に速いので、視覚的には表示画面全体が僅かに明るくなったようにしか見えない。
【００５９】
なお本実施の形態においてデータパルスを印加する時間Ｔｘ１は１μｓである。したがって、例えばｍ＝１９２０×３であれば、ｘ座標検出期間Ｐｘの時間は、Ｔｘ０＋Ｔｘ１×１９２０＝２６２０μｓである。
【００６０】
以上により、ｘ座標検出期間Ｐｘが終了する。
【００６１】
なお本実施の形態において各電極に印加する電圧値は、例えば、電圧Ｖｉ２＝３５０（Ｖ）、電圧Ｖｉ４＝−１７５（Ｖ）、電圧Ｖｉ６＝−１４０（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。このように本実施の形態においては、駆動回路の構成上、電圧Ｖａと電圧Ｖａｙと電圧Ｖａｘとは等しく設定され、電圧Ｖｄと電圧Ｖｄｙと電圧Ｖｄｘとも等しく設定されている。またサブフィールドＳＦ１の初期化期間Ｐｉにおいて走査電極に印加する上り傾斜電圧の傾斜は、１．５（Ｖ／μｓ）、初期化期間Ｐｉにおいて走査電極に印加する下り傾斜電圧の傾斜は、−２．５（Ｖ／μｓ）、維持期間Ｐｓの最後において走査電極に印加する上り傾斜電圧の傾斜は、１０（Ｖ／μｓ）である。ただしこれらの電圧値および傾斜電圧の傾斜は一例を挙げたに過ぎず、パネル１０の特性やプラズマディスプレイ装置の仕様等に合わせて、適宜最適な値に設定することが望ましい。
【００６２】
上述したように本実施の形態においては、１フィールド期間を構成する複数のサブフィールドは、画像を表示するための複数の画像表示サブフィールドＳＦ１〜ＳＦ８と、データ電極Ｄ１〜Ｄｍに正極性のｙ座標検出電圧Ｖｄｙを印加したまま走査電極ＳＣ１〜ＳＣｎに負極性のｙ座標検出パルスを順次印加して第１の方向に延びた線状の発光を第２の方向に走査させるｙ座標検出サブフィールドＳＦｙと、走査電極ＳＣ１〜ＳＣｎに負極性のｘ座標検出電圧Ｖａｘを印加したままデータ電極Ｄ１〜Ｄｍに正極性のｘ座標検出パルスを順次印加して第２の方向に延びた線状の発光を第１の方向に走査させるｘ座標検出サブフィールドＳＦｘとを有する。これにより、位置座標を検出するための安定した放電を発生させることができる。
【００６３】
また上述したように、画像表示サブフィールドＳＦ１〜ＳＦ８の書込み期間Ｐｗにおいて、走査電極ＳＣ１〜ＳＣｎには電圧｜Ｖａ−Ｖｃ｜の波高値をもつ走査パルスを印加し、データ電極Ｄ１〜Ｄｍには電圧｜Ｖｄ｜の波高値をもつ書込みパルスを印加する。加えて、ｙ座標検出サブフィールドＳＦｙのｙ座標検出期間Ｐｙにおいてデータ電極Ｄ１〜Ｄｍに印加するｙ座標検出電圧Ｖｄｙをパルス幅の広い座標検出パルス、ｘ座標検出サブフィールドＳＦｘのｘ座標検出期間Ｐｘにおいて走査電極ＳＣ１〜ＳＣｎに印加するｘ座標検出電圧Ｖａｘをそれぞれパルス幅の広い座標検出パルスと考えると、ｙ座標検出期間Ｐｙおよびｘ座標検出期間Ｐｘにおいても、走査電極ＳＣ１〜ＳＣｎには電圧｜Ｖａ−Ｖｃ｜の波高値をもつ座標検出パルスを印加し、データ電極Ｄ１〜Ｄｍには電圧｜Ｖｄ｜の波高値をもつ座標検出パルスを印加している。
【００６４】
ここで走査電極ＳＣ１〜ＳＣｎに印加する走査パルスおよび座標検出パルスとデータ電極Ｄ１〜Ｄｍに印加する書込みパルスおよび座標検出パルスの波高値は、両方のパルスが印加された放電セルで放電が発生し、一方のパルスのみが印加された放電セルでは放電が発生しない値に設定されている。しかしながら一方のパルスしか印加されていない放電セルであっても壁電荷は少しずつ減少する。そして印加されるパルスの波高値が大きいほど壁電荷の減少量は大きくなり、印加されるパルスのパルス幅または印加時間が長いほど壁電荷の減少量は大きくなる。
【００６５】
画像表示サブフィールドＳＦ１〜ＳＦ８の書込み期間Ｐｗでは、データ電極Ｄ１〜Ｄｍのそれぞれに印加する書込みパルスの印加時間は画像信号に依存して長くなることがある。しかし走査電極ＳＣ１〜ＳＣｎのそれぞれに印加する走査パルスの印加時間Ｔｗ１は短い。そこで書込み期間Ｐｗにおける壁電荷の減少を抑えるために、印加時間の長くなる書込みパルスの波高値を小さく、印加時間の短い走査パルスの波高値を大きく設定している。本実施の形態においては、書込みパルスの波高値は｜Ｖｄ｜＝５５（Ｖ）、走査パルスの波高値は｜Ｖａ−Ｖｃ｜＝１５０（Ｖ）である。
【００６６】
しかしながらｘ座標検出サブフィールドＳＦｘのｘ座標検出期間Ｐｘでは、データ電極Ｄ１〜Ｄｍに印加するそれぞれの電圧Ｖｄｘのｘ座標検出パルスの印加時間Ｔｘ１は短いものの、走査電極ＳＣ１〜ＳＣｎに印加するｘ座標検出電圧Ｖａｘの印加時間は非常に長くなる。一方、上述したように本実施の形態においては、電圧Ｖｄｘと電圧Ｖｄとは等しい電圧に設定され、電圧Ｖａｘと電圧Ｖａとは等しい電圧に設定されている。そのため、ｘ座標検出サブフィールドＳＦｘの駆動電圧波形については、壁電荷の減少を抑えるための特別な工夫が必要となる。
【００６７】
本実施の形態においては、ｘ座標検出サブフィールドＳＦｘの初期化期間Ｐｉにおいて、データ電極Ｄ１〜Ｄｍに印加する第１の電圧Ｖｄから走査電極ＳＣ１〜ＳＣｎに印加する第１の下り傾斜電圧の到達電圧Ｖｉ６を減じた電圧が、画像表示サブフィールドＳＦ１〜ＳＦ８の初期化期間Ｐｉにおいてデータ電極Ｄ１〜Ｄｍに印加する第２の電圧０（Ｖ）から走査電極ＳＣ１〜ＳＣｎに印加する第２の下り傾斜電圧の到達電圧Ｖｉ４を減じた電圧よりも高い電圧となるように設定されている。するとデータ電極Ｄ１〜Ｄｍ上に残留する正極性の壁電圧は、画像表示サブフィールドＳＦ１〜ＳＦ８の初期化期間Ｐｉにおいてデータ電極Ｄ１〜Ｄｍ上に残留する正極性の壁電圧よりも少ない値に調整される。これにより、ｘ座標検出サブフィールドＳＦｘのｘ座標検出期間Ｐｘにおいて走査電極ＳＣ１〜ＳＣｎに電圧Ｖａｘを印加した直後に流れる暗電流を抑制できるので、ｘ座標検出期間Ｐｘの初期の壁電荷の減少を抑えることができる。
【００６８】
また本実施の形態においては、ｘ座標検出サブフィールドＳＦｘのｘ座標検出期間Ｐｘにおいて、第２の時間Ｔｘ０の間、ｘ座標検出電圧Ｖａｘよりも高い電圧Ｖｃを走査電極ＳＣ１〜ＳＣｎに印加するとともにｘ座標検出パルスの電圧Ｖｄｘよりも低い電圧０（Ｖ）をデータ電極Ｄ１〜Ｄｍに印加する。するとｘ座標検出サブフィールドＳＦｘの初期化期間Ｐｉで発生したプライミングが減少する。これにより、その後に、走査電極ＳＣ１〜ＳＣｎにｘ座標検出電圧Ｖａｘを印加したままデータ電極Ｄ１〜Ｄｍに電圧Ｖｄｘのｘ座標検出パルスを順次印加する際に徐々に減少する壁電荷の減少量を抑えることができる。
【００６９】
さらに本実施の形態においては、ｙ座標検出サブフィールドＳＦｙに続いてｘ座標検出サブフィールドＳＦｘを配置するとともに、ｘ座標検出サブフィールドＳＦｘの初期化期間Ｐｉにおいて、矩形電圧を用いた放電を発生させることなく、走査電極ＳＣ１〜ＳＣｎに上り傾斜電圧を印加した後に走査電極ＳＣ１〜ＳＣｎに下り傾斜電圧を印加して、傾斜電圧を用いた放電のみを発生させている。すると輝度重みの大きいサブフィールドＳＦ８の維持期間Ｐｓに発生した多量のプライミングがｙ座標検出サブフィールドＳＦｙの期間にほぼ消滅するとともに、ｘ座標検出サブフィールドＳＦｘの初期化期間Ｐｉにおいて多量のプライミングが発生することもない。これによっても、走査電極ＳＣ１〜ＳＣｎに電圧Ｖａｘを印加中に徐々に減少する壁電荷の減少量を抑えることができる。
【００７０】
次に、プラズマディスプレイシステムの構成について詳細に説明する。図５は、本発明の実施の形態１におけるプラズマディスプレイシステムの回路ブロック図である。プラズマディスプレイ装置は、第１の方向に延びた複数の走査電極および維持電極と第１の方向に交差する第２の方向に延びた複数のデータ電極とを有するパネル１０と、１フィールド期間を複数のサブフィールドで構成してパネル１０を駆動する駆動回路とを備えている。そしてプラズマディスプレイシステム３０は、プラズマディスプレイ装置とライトペン５０とを備えている。
【００７１】
プラズマディスプレイ装置の駆動回路は、画像信号処理回路３１、データ電極駆動回路３２、走査電極駆動回路３３、維持電極駆動回路３４、タイミング発生回路３５、座標算出回路４２、描画回路４４、および各回路ブロックに必要な電源を供給する電源回路（図示せず）を備えている。
【００７２】
画像信号処理回路３１は、入力した画像信号と描画回路４４から出力される描画信号とを合成し、サブフィールド毎の発光・非発光を示す画像データに変換する。データ電極駆動回路３２は、画像データをデータ電極Ｄ１〜Ｄｍのそれぞれに対応する書込みパルスに変換し、データ電極Ｄ１〜Ｄｍのそれぞれに印加する。
【００７３】
タイミング発生回路３５は、水平および垂直の同期信号をもとにして各回路ブロックの動作を制御する各種のタイミング信号を発生し、それぞれの回路ブロックへ供給する。また座標を検出するための座標基準信号を座標算出回路４２に出力する。走査電極駆動回路３３はタイミング信号に基づいて走査電極ＳＣ１〜ＳＣｎのそれぞれに駆動電圧を印加し、維持電極駆動回路３４はタイミング信号に基づいて維持電極ＳＵ１〜ＳＵｎに駆動電圧を印加する。
【００７４】
ライトペン５０は、パネル１０の表示画面上から文字や絵などを入力するためのものである。ライトペン５０の先端部には、ライトペン５０がパネル１０の表示画面に接触したことを検知する接触スイッチを有する。さらにパネル１０の発光を受光するための受光素子を有し、ライトペン５０がパネル１０の表示画面に接触しているとき、座標算出回路４２に受光信号を出力する。
【００７５】
座標算出回路４２は、時間の長さを計測するためのカウンタと、カウンタの出力に演算を施す演算回路とを備える。そして座標基準信号および受光信号にもとづき、ライトペン５０が示している表示画面のｘ座標およびｙ座標を算出する。
【００７６】
描画回路４４はフレームメモリを備える。そして座標算出回路４２が算出したｘ座標およびｙ座標にもとづき、表示画面上のライトペン５０の軌跡を示す描画信号を作成し、画像信号処理回路３１に出力する。
【００７７】
次に本実施の形態におけるプラズマディスプレイシステムの動作について説明する。図６は、本発明の実施の形態１におけるプラズマディスプレイシステム３０の位置座標検出方法を説明する模式図である。また図７は、本発明の実施の形態１におけるプラズマディスプレイシステムのタイミングチャートである。
【００７８】
タイミング発生回路３５は、ｙ座標検出期間Ｐｙの最初から第１の時間Ｔｙ０経過後の時刻ｔｙ０と、ｘ座標検出期間Ｐｘの最初から第１の時間Ｔｘ０経過後の時刻ｔｘ０とに立上りエッジを有する座標基準信号を座標算出回路４２に出力する。
【００７９】
ｙ座標検出サブフィールドＳＦｙのｙ座標検出期間Ｐｙにおいて第１の方向に延びた線状の発光を第２の方向に走査させることにより、パネル１０の表示画面上には、図６に示したように、表示画面の上端部から下端部まで走査する１本の横線Ｌｙが表示される。そしてライトペン５０が示している表示画面の座標（ｘ、ｙ）を横線Ｌｙが通過する時刻ｔｙｙにおいて、ライトペン５０の受光素子は横線Ｌｙの発光を受光する。そのため、受光素子は、図７に示したように時刻ｔｙｙで受光を示す受光信号を出力する。
【００８０】
また、ｘ座標検出サブフィールドＳＦｘのｘ座標検出期間Ｐｘにおいて第２の方向に延びた線状の発光を第１の方向に走査させることにより、パネル１０の表示画面上には、図６に示したように、表示画面の左端部から右端部まで走査する１本の縦線Ｌｘが表示される。そしてライトペン５０が示している表示画面の座標（ｘ、ｙ）を縦線Ｌｘが通過する時刻ｔｘｘにおいて、ライトペン５０の受光素子は縦線Ｌｘの発光を受光する。そのため、受光素子は、図７に示したように時刻ｔｘｘで受光を示す受光信号を出力する。
【００８１】
座標算出回路４２は、ｙ座標検出期間Ｐｙにおいてタイミング発生回路３５から出力される座標基準信号とライトペン５０の受光素子から出力される受光信号にもとづき、時刻ｔｙ０から時刻ｔｙｙまでの時間Ｔｙｙを測定する。そして時間Ｔｙｙを時間Ｔｙ１で除算してｙ座標を求める。またｘ座標検出期間Ｐｘにおいてタイミング発生回路３５から出力される座標基準信号とライトペン５０の受光素子から出力される受光信号にもとづき、時刻ｔｘ０から時刻ｔｘｘまでの時間Ｔｘｘを測定する。そして時間Ｔｘｘを時間Ｔｘ１で除算してｘ座標を求める。このようして座標算出回路４２は、ライトペン５０が示している表示画面の座標（ｘ、ｙ）を求める。
【００８２】
図８は、本発明の実施の形態１におけるプラズマディスプレイシステム３０の描画の一例を示す模式図である。描画回路４４は、座標算出回路４２が算出した座標（ｘ、ｙ）に対応する画素を中心に、所定の色および大きさの丸などのパターンをフレームメモリに書込む。使用者がライトペンをパネル１０の画像表示面に接触させたままライトペンを移動させると、座標算出回路４２が算出する座標（ｘ、ｙ）も移動する。そして描画回路４４は移動する座標（ｘ、ｙ）を中心に所定のパターンをフレームメモリに順次書き込む。こうして描画回路４４は、図８に示したように、表示画面上のライトペン５０の軌跡を示す描画信号を作成する。
【００８３】
画像信号処理回路３１は、入力した画像信号と描画回路４４から出力される描画信号とを合成し、サブフィールド毎の発光・非発光を示す画像データに変換する。これにより、ライトペンで書いた画像と入力した画像信号の画像とが重畳されて表示される。
【００８４】
なお上記では、ライトペンの位置座標を検出する方法およびその構成を中心に説明した。次に、本発明の実施の形態におけるプラズマディスプレイシステムについて、ライトペンとプラズマディスプレイ装置の間で無線通信を行う場合の方法およびその構成を中心に、図面を用いて説明する。
【００８５】
（実施の形態２）
実施の形態２におけるプラズマディスプレイシステムは、ライトペンの内部で座標を算出し、算出した座標のデータを無線でプラズマディスプレイ装置に伝送する構成である。
【００８６】
まず、プラズマディスプレイ装置の駆動電圧波形について詳細に説明する。図９は、本発明の実施の形態２におけるプラズマディスプレイシステムのタイミングチャートである。実施の形態２においては、１フィールド期間を、複数の画像表示サブフィールドＳＦ１〜ＳＦ８と、タイミング検出サブフィールドＳＦｏと、ｙ座標検出サブフィールドＳＦｙと、ｘ座標検出サブフィールドＳＦｘとで構成する。画像表示サブフィールドは実施の形態１と同じであるので、説明を省略する。
【００８７】
タイミング検出サブフィールドＳＦｏは、初期化期間Ｐｉと、書込み期間Ｐｗと、タイミング検出期間Ｐｏとを有する。
【００８８】
タイミング検出サブフィールドＳＦｏの初期化期間Ｐｉでは、選択初期化動作を行う。すなわち、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎには電圧Ｖｉ４まで下降する下り傾斜電圧を印加する。すると直前のサブフィールドＳＦ８で維持放電を起こした放電セルで初期化放電が発生する。
【００８９】
タイミング検出サブフィールドＳＦｏの書込み期間Ｐｗでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。その後、データ電極Ｄ１〜Ｄｍに電圧Ｖｄの書込みパルスを印加するとともに走査電極ＳＣ１〜ＳＣｎに電圧Ｖａの走査パルスを印加する。その後、全ての放電セルで書込み放電を発生させる。
【００９０】
このときデータ電極Ｄ１〜Ｄｍに書込みパルスを印加するとともに走査電極ＳＣ１〜ＳＣｎに同時に走査パルスを印加して、全ての放電セルで同時に書込み放電を発生させてもよい。しかし本実施の形態においてはそうせずに、データ電極Ｄ１〜Ｄｍに書込みパルスを印加するとともに走査電極ＳＣ１〜ＳＣｎの複数本毎に走査パルスを順次印加して書込み放電を発生させている。
【００９１】
その後、データ電極Ｄ１〜Ｄｍに電圧０（Ｖ）を印加し、走査電極ＳＣ１〜ＳＣｎのそれぞれには電圧Ｖｃを印加する。そして最後の書込み放電を発生させた時刻ｔｏ０から所定の時間Ｔｏ０この状態を保つ。所定の時間Ｔｏ０は、後述するタイミング検出放電の時間間隔に依存して設定されており、本実施の形態において所定の時間Ｔｏ０は５０μｓである。
【００９２】
タイミング検出サブフィールドＳＦｏのタイミング検出期間Ｐｏでは、最後の書込み放電を発生させた時刻ｔｏ０から所定の時間Ｔｏ０経過後の時刻ｔｏ１において、走査電極ＳＣ１〜ＳＣｎに電圧Ｖｓｏのタイミング検出パルスＶ５を印加するとともに維持電極ＳＵ１〜ＳＵｎに電圧０（Ｖ）を印加して、全ての放電セルでタイミング検出放電を発生させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに電圧Ｖｓｏのタイミング検出パルスＶ５を印加して、再びタイミング検出放電を発生させる。次に、時刻ｔｏ２から時間Ｔｏ２経過後の時刻ｔｏ３において、走査電極ＳＣ１〜ＳＣｎに電圧Ｖｓｏのタイミング検出パルスＶ５を印加するとともに維持電極ＳＵ１〜ＳＵｎに電圧０（Ｖ）を印加して、３回目のタイミング検出放電を発生させる。続いて時刻ｔｏ３から時間Ｔｏ３経過後の時刻ｔｏ４において、走査電極ＳＣ１〜ＳＣｎに電圧０（Ｖ）を印加するとともに維持電極ＳＵ１〜ＳＵｎに電圧Ｖｓｏのタイミング検出パルスＶ５を印加して、４回目のタイミング検出放電を発生させる。本実施の形態においてはタイミング検出パルスＶ５は、画像表示サブフィールドの維持期間に走査電極ＳＣ１〜ＳＣｎおよび維持電極ＳＵ１〜ＳＵｎに印加する維持パルスＶｓと同じ電圧であるが、必ずしもその必要はなく、タイミング検出放電が発生する電圧であればよい。
【００９３】
ここで、時間Ｔｏ１、時間Ｔｏ２、時間Ｔｏ３はあらかじめ定められた数列の示す３つの時間間隔であり、時間Ｔｏ１、時間Ｔｏ２、時間Ｔｏ３の間隔で発生する４回のタイミング検出放電を検出して座標基準信号を作成する。
【００９４】
そしてタイミング検出期間Ｐｏの最後には、走査電極ＳＣ１〜ＳＣｎに電圧Ｖｒまで上昇する上り傾斜電圧を印加して微弱な消去放電を発生させる。以上によりタイミング検出サブフィールドＳＦｏの動作が終了する。
【００９５】
続くｙ座標検出サブフィールドＳＦｙ、およびｘ座標検出サブフィールドＳＦｘは実施の形態１におけるｙ座標検出サブフィールドＳＦｙ、およびｘ座標検出サブフィールドＳＦｘと同じであるため説明を省略する。
【００９６】
なお本実施の形態２においては、電圧Ｖｓｏは電圧Ｖｓに等しく、例えば、電圧Ｖｓｏ＝２０５（Ｖ）である。また時間Ｔｏ１、時間Ｔｏ２、時間Ｔｏ３は、例えばそれぞれ４０μｓ、２０μｓ、３０μｓである。
【００９７】
このように、実施の形態２において、１フィールド期間を構成する複数のサブフィールドは、画像を表示するための複数の画像表示サブフィールドＳＦ１〜ＳＦｎと、走査電極ＳＣ１〜ＳＣｎと維持電極ＳＵ１〜ＳＵｎとに交互にタイミング検出パルスを印加して画像表示に関係しない複数回のタイミング検出放電を発生させるタイミング検出サブフィールドＳＦｏと、データ電極Ｄ１〜Ｄｍにｙ座標検出電圧Ｖｄｙを印加したまま走査電極ＳＣ１〜ＳＣｎにｙ座標検出パルスを順次印加して第１の方向に延びた線状の発光を第２の方向に走査させるｙ座標検出サブフィールドＳＦｙと、走査電極ＳＣ１〜ＳＣｎにｘ座標検出電圧Ｖａｘを印加したままデータ電極Ｄ１〜Ｄｍにｘ座標検出パルスを順次印加して第２の方向に延びた線状の発光を第１の方向に走査させるｘ座標検出サブフィールドＳＦｘとを有する。
【００９８】
そして、タイミング検出サブフィールドＳＦｏにおいて、あらかじめ定められた所定の数列Ｔｏ１、Ｔｏ２、Ｔｏ３に対応する時間間隔で画像表示に関係しない複数回のタイミング検出放電を発生させる。
【００９９】
そしてタイミング検出サブフィールドＳＦｏの書込み期間Ｐｗにおいて最後の書込み放電を発生させた時刻ｔｏ０の後、所定の時間Ｔｏ０の間は放電を発生させない状態を保つ。
【０１００】
ここで所定の時間Ｔｏ０は、続くタイミング検出期間Ｐｏの最初のタイミング検出放電から２番目のタイミング検出放電までの時間Ｔｏ１よりも長く設定されている。加えて、所定の時間Ｔｏ０が、タイミング検出期間Ｐｏの各タイミング検出放電間の時間Ｔｏ１〜Ｔｏ３の最大の時間よりも長く設定されていれば、さらに望ましい。
【０１０１】
これにより、タイミング検出サブフィールドＳＦｏの書込み期間Ｐｗにおける書込み放電をタイミング検出放電と誤認する確率をほぼ「０」に抑えることができ、ライトペンの位置座標を正確に検出することができる。
【０１０２】
なおタイミング検出サブフィールドＳＦｏの書込み期間Ｐｗにおいて、駆動時間を短縮するために、データ電極Ｄ１〜Ｄｍに電圧Ｖｄの書込みパルスを印加するとともに走査電極ＳＣ１〜ＳＣｎに電圧Ｖａの走査パルスを同時に印加して書込み放電を発生させてもよい。しかし駆動回路の制限等から、同時に書込み放電を発生させることができない場合がある。この場合には、画像表示サブフィールドの書込み期間と同様に、データ電極Ｄ１〜Ｄｍに電圧Ｖｄを印加するとともに走査電極ＳＣ１〜ＳＣｎに走査パルスを順次印加して書込み放電を発生させてもよい。あるいは上述したように、データ電極Ｄ１〜Ｄｍに電圧Ｖｄを印加するとともに走査電極ＳＣ１〜ＳＣｎの複数本毎に走査パルスを順次印加して書込み放電を発生させてもよい。
【０１０３】
このような場合に、所定の時間Ｔｏ０が時間Ｔｏ１よりも短いと仮定すると、ライトペンの位置によっては、書込み放電と最初のタイミング検出放電との時間が時間Ｔｏ１に等しくなる可能性がある。そして書込み放電と最初のタイミング検出放電との時間が時間Ｔｏ１に等しくなると、書込み放電をタイミング検出放電と誤認してタイミングを正しく検出できずに、ライトペンの位置座標に大きな誤差を生じる可能性がある。
【０１０４】
しかしながら、所定の時間Ｔｏ０を、最初のタイミング検出放電から２番目のタイミング検出放電までの時間Ｔｏ１よりも長く設定することで、書込み放電をタイミング検出放電と誤認する可能性は大幅に低下する。さらには所定の時間Ｔｏ０を、各タイミング検出放電の間の時間Ｔｏ１〜Ｔｏ３の最大の時間よりも長く設定することで、書込み放電をタイミング検出放電と誤認するおそれがなくなり、ライトペンの位置座標を正しく検出することができる。
【０１０５】
このように、タイミング検出サブフィールドにおいて、最後の書込み放電を発生させた後に最初のタイミング検出放電を発生させるまでの所定の時間Ｔｏ０を、最初のタイミング検出放電を発生させてから２番目のタイミング検出放電を発生させるまでの時間間隔Ｔｏ１よりも長く設定することが望ましい。さらにタイミング検出サブフィールドにおいて、最後の書込み放電を発生させた後に最初のタイミング検出放電を発生させるまでの所定の時間Ｔｏ０を、連続する複数のタイミング検出放電のそれぞれの時間間隔Ｔｏ１〜Ｔｏ３の最大よりも長く設定することがさらに望ましい。
【０１０６】
次に、プラズマディスプレイシステムの構成について説明する。図１０は、本発明の実施の形態２におけるプラズマディスプレイシステム１３０の回路ブロック図である。実施の形態１と同じ回路ブロックについては実施の形態１と同じ符号を付して説明を省略する。プラズマディスプレイシステム１３０は、パネル１０およびパネル１０を駆動する駆動回路を備えたプラズマディスプレイ装置と、ライトペン１５０とを備えている。プラズマディスプレイ装置の駆動回路は、画像信号処理回路３１、データ電極駆動回路３２、走査電極駆動回路３３、維持電極駆動回路３４、タイミング発生回路３５、描画回路４４、受信回路４６、および各回路ブロックに必要な電源を供給する電源回路（図示せず）を備えている。
【０１０７】
ライトペン１５０は、受光素子５２と、タイミング検出回路５４と、座標算出回路５６と、送信回路５８とを備えている。受光素子５２は、パネル１０の発光を受光して、タイミング検出回路５４および座標算出回路５６に受光信号を出力する。
【０１０８】
タイミング検出回路５４は、受光信号の中から、あらかじめ定められた所定の数列に対応する時間間隔で発生した発光を検出し、タイミング検出サブフィールドＳＦｏのタイミング検出期間Ｐｏのタイミング検出放電を特定する。具体的には受光信号の中から、発光の間隔が順に時間Ｔｏ１、時間Ｔｏ２、時間Ｔｏ３となる４個の連続する発光を探す。そして４個の連続する発光の１つ（図９では、タイミング検出期間Ｐｏの時刻ｔｏ１に発生した発光）を基準にして座標基準信号を作成し、座標算出回路５６に出力する。図９の時刻ｔｏ１から時刻ｔｙ０までの時間Ｔｏｙ、および時刻ｔｏ１から時刻ｔｘ０までの時間Ｔｏｘはあらかじめ分かっているので、タイマー等を用いて座標基準信号を作成する。
【０１０９】
座標算出回路５６は、実施の形態１における座標算出回路４２と同様に、時間の長さを計測するためのカウンタと、カウンタの出力に演算を施す演算回路とを備える。そして座標基準信号および受光信号にもとづき、ライトペン１５０が示している表示画面のｘ座標およびｙ座標を算出する。
【０１１０】
送信回路５８は、座標算出回路５６が算出したｘ座標およびｙ座標をエンコードして受信回路４６に無線で送信する。
【０１１１】
受信回路４６は、ライトペン１５０の送信回路５８から送られる無線信号をデコードして、ｘ座標およびｙ座標に変換して描画回路４４に出力する。
【０１１２】
描画回路４４は、実施の形態１と同様に、ｘ座標、ｙ座標にもとづき、表示画面上のライトペン１５０の軌跡を示す描画信号を作成し、画像信号処理回路３１に出力する。
【０１１３】
このように実施の形態２におけるプラズマディスプレイシステム１３０のライトペン１５０は、パネル１０の発光を受光して受光信号を出力する受光素子５２と、ｙ座標検出サブフィールドおよびｘ座標検出サブフィールドと同期した座標基準信号を受光信号にもとづき作成するタイミング検出回路５４と、ライトペン１５０が指示すプラズマディスプレイ装置の表示画面上の座標を座標基準信号と受光信号にもとづき算出する座標算出回路５６と、座標算出回路５６が算出した座標をプラズマディスプレイ装置に送信する送信回路５８とを有する。またプラズマディスプレイ装置は、ライトペン１５０から送信された座標を受信する受信回路４６と、受信回路４６で受信した座標にもとづき描画信号を作成する描画回路４４とを有する。そして、ライトペン１５０で座標基準信号を作成してｘ座標およびｙ座標を算出し、その座標データを無線で送信している。この構成は、無線通信時にパネルの発光と同期しないタイミングで通信を行い、通信で正確なタイミングを伝えられない場合に有効である。
【０１１４】
なお実施の形態１および実施の形態２においては、ｙ座標検出期間Ｐｙに１行分の放電セル行を順次発光させて、表示画面の上端部から下端部まで走査する横線を示した。しかし本発明はこれに限定されるものではない。例えば、２行分ずつ放電セル行を順次発光させて走査する横線を表示してもよく、また１行おきに放電セル行を発光させて走査する横線を表示してもよい。同様に、ｙ座標検出期間Ｐｙにおいても、３列分の放電セル列を順次発光させて走査する横線を示したが、任意の複数列ずつ放電セル列を順次発光させてもよく、また複数列おきに放電セル列を発光させてもよい。これによりｙ座標検出サブフィールドＳＦｙ、ｘ座標検出サブフィールドＳＦｘに要する時間を短縮することができる。
【０１１５】
また実施の形態１および実施の形態２においては、１フィールド期間を、常に画像表示サブフィールドと座標検出のためのサブフィールドとを有する構成としたが、使用者がライトペンを使用しないときは、１フィールド期間を画像表示サブフィールドのみで構成してもよい。
【０１１６】
また実施の形態１および実施の形態２においては、描画専用の描画回路４４をプラズマディスプレイ装置に内蔵した構成について示したが、プラズマディスプレイ装置に接続したコンピュータを用いて描画信号を作成する構成であってもよい。
【０１１７】
なお、実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１１８】
本発明は、パネルの発光と同期しないタイミングで通信を行っても精度よくライトペンの位置座標を検出することができるので、プラズマディスプレイパネルの駆動方法、プラズマディスプレイ装置、およびプラズマディスプレイシステムとして有用である。
【符号の説明】
【０１１９】
１０    パネル
１２    走査電極
１３    維持電極
２２    データ電極
３０，１３０    プラズマディスプレイシステム
３１    画像信号処理回路
３２    データ電極駆動回路
３３    走査電極駆動回路
３４    維持電極駆動回路
３５    タイミング発生回路
４２，５６    座標算出回路
４４    描画回路
４６    受信回路
５０，１５０    ライトペン
５２    受光素子
５４    タイミング検出回路
５８    送信回路
【図１】
2015038533.tif 000003
【図２】
2015038533.tif 000004
【図３】
2015038533.tif 000005
【図４】
2015038533.tif 000006
【図５】
2015038533.tif 000007
【図６】
2015038533.tif 000008
【図７】
2015038533.tif 000009
【図８】
2015038533.tif 000010
【図９】
2015038533.tif 000011
【図１０】
2015038533.tif 000012